(57)【特許請求の範囲】
【請求項１】
バックホウの油圧機構を介してリンク作動する作動アームの先端部に設けた一つの基枢支部に、横幅を有する直線的な刃先に向って板面の横幅が小さくなるように形成された鋭利な先端のエッジ板を先端部に備えた前後一対の円弧状破砕爪を、前記両エッジ板の刃先が平行で且つ両エッジ板が噛み違い状態になるように対向させてその基部を枢支し、
前記前後両破砕爪のエッジ板の両噛違対向面にストッパーを突当たり可能な状態に突設し、
前記前後両破砕爪の背後にそれぞれ前後のリンク枢支部を設け、
前記後破砕爪側後方の前記作動アームに後枢支部を設け、
中間に関節を有するリンクシャフトの一方を前記後枢支部に、他方を前記後リンク枢支部に枢支して、前記基枢支部、後リンク枢支部、関節及び後枢支部の四点から成る平行リンクを形成し、
前記前破砕爪側後方の前記作動アームに前枢支部を設け、
中間に関節を有するリンクシャフトの一方を前記前枢支部に、他方を前記前リンク枢支部に枢支して、前記基枢支部、前リンク枢支部、関節及び前枢支部の四点から成る平行リンクを形成し、
前記前破砕爪の基枢支部と前記前リンク枢支部との間に連動枢支部を設けて連動シャフトの基端部を支持するとともに先端部を前記後破砕爪のリンクシャフトの関節に枢支し、
前記前破砕爪のリンクシャフトの関節を前記作動アームに付設した油圧シャフトの先端に枢支して成り、
前記油圧シャフトの出没操作で前後の破砕爪の爪先が両方同時に噛み合うように開閉作動するようにしたことを特徴とするアタッチメント型木割機。
【発明の詳細な説明】
【０００１】
【発明が属する技術分野】
本発明は、バックホウの作動アームに取り付けて使用する木材破砕機に関する。
【０００２】
【従来の技術】
これまで、バックホウの作動アームに取り付けるタイプの木材破砕機が提供されている。
この破砕機は、一方の爪を固定して、他方の爪を油圧シャフトにより出没させて向かい合う爪を開閉稼動して、その爪先に木材を挟み、さらに爪を木材に食い込ませて破砕しようとするものである。
【０００３】
一方の固定され爪に荷重が集中し、固定部分の補強が必要であり、このため固定され爪には、通常、幅広肉厚の鉄板が使用されている。
この構造は、大変簡単ではあるが、一方の爪が固定されているので、他方の爪の向きを自由にできない。このため、木材に対する位置合わせが難しかった。
また、一方の爪のみの稼動なので、木材に対して、大きな力が得られない、固定され爪に向けて片方から招き寄せるものなので地面から浮いている丸太を掴み割ることが殆んどできないなどの難点があった。
このため、枝が多く太くて硬いケヤキ、樫、栗などの生の丸太材や不定形をした大きな根っこは容易に破砕することができなかった。
【０００４】
【発明が解決しようとする課題】
本発明は、上記実情に鑑みてなされたもので、木割操作か容易で、大きい根っこ、太くて硬い丸太が簡単に割ることができる強力なバックホウ用の軽量型アタッチメント型木割機を提供するものである。
【０００５】
【課題を解決するための手段】
上記課題を解決するために、本発明のアタッチメント型木割機は、バックホウの油圧機構を介してリンク作動する作動アームの先端部に設けた一つの基枢支部に、横幅を有する直線的な刃先に向って板面の横幅が小さくなるように形成された鋭利な先端のエッジ板を先端部に備えた前後一対の円弧状破砕爪を、前記両エッジ板の刃先が平行で且つ両エッジ板が噛み違い状態になるように対向させてその基部を枢支する。
そして、前記前後両破砕爪のエッジ板の両噛違対向面にストッパーを突当たり可能な状態に突設する。
【０００６】
前記前後両破砕爪の背後にそれぞれ前後のリンク枢支部を設け、前記後破砕爪側後方の前記作動アームに後枢支部を設ける。
そして、中間に関節を有するリンクシャフトの一方を前記後枢支部に、他方を前記後リンク枢支部に枢支して、前記基枢支部、後リンク枢支部、関節及び後枢支部の四点から成る平行リンクを形成する。
【０００７】
また、前記前破砕爪側後方の前記作動アームに前枢支部を設け、中間に関節を有するリンクシャフトの一方を前記前枢支部に、他方を前記前リンク枢支部に枢支して、前記基枢支部、前リンク枢支部、関節及び前枢支部の四点から成る平行リンクを形成する。
【０００８】
前記前破砕爪の基枢支部と前記前リンク枢支部との間に連動枢支部を設けて連動シャフトの基端部を支持するとともに先端部を前記後破砕爪のリンクシャフトの関節に枢支し、前記前破砕爪のリンクシャフトの関節を前記作動アームに付設した油圧シャフトの先端に枢支して構成する。
【０００９】
そして、前記油圧シャフトの出没操作で前後の破砕爪の爪先が両方同時に噛み合うように開閉作動するようにしたことを特徴とするものである。
【００１２】
【発明の実施の形態】
本発明の実施の形態を図の実施例に基づいて以下説明する
【００１３】
一般的なバックホウにおいて、図１及び図２に示すように、その油圧機構を介してリンク作動する作動アーム１の先端部１ａに設けた基枢支部２に、前後一対の円弧状破砕爪３、４の基部３ａ、４ａを枢支してその爪先５、６を噛み違い状態に対向させる。
そして、前後両破砕爪５、６の背後にそれぞれ前後のリンク枢支部７、８を設け、後破砕爪４側後方の作動アーム１に後枢支部９を設け、中間に関節１０を有するリンクシャフトの一方１１ａを前記後枢支部９に、他方を前記後リンク枢支部８に枢支して、前記基枢支部２、後リンク枢支部８、関節１０及び後枢支部９の四点から成る平行リンクを形成する。
【００１４】
また、前記前破砕爪３側後方の作動アーム１に前枢支部１２を設け、中間に関節１３を有するリンクシャフトの一方１４ａを前記前枢支部１２に、他方を前記前リンク枢支部７に枢支して、前記基枢支部２、前リンク枢支部７、関節１３及び前枢支部１２の四点から成る平行リンクを形成する。
【００１５】
そして、前記前破砕爪３の基枢支部２と前リンク枢支部７との間に連動枢支部１５を設けて連動シャフト１６の基端部１６ａを支持するとともに先端部１６ｂを前記後破砕爪４のリンクシャフトの関節1０に枢支し、前記前破砕爪３のリンクシャフトの関節１３を前記作動アーム１に付設した油圧シャフト１７の先端１７ａに枢支する。
【００１６】
そして図３及び図４に示すように、前記油圧シャフト１７の出没操作すると、前後の破砕爪３、４の爪先５、６が両方同時に噛み合うように開閉作動する（図中の距離Ｌ１からＬ２の出没にリンクされて破砕爪３、４がＲ１からＲ２に大きく開き丸太Ｍを掴んで、また距離Ｌ２からＬ１の出没にリンクされて破砕爪３、４がＲ２からＲ１に締め付け丸太Ｍを割る）。
【００１７】
また、図５の（イ）、（ロ）に示すように、前記前破砕爪３、４の爪先５、６の両噛違対向面にストッパー１８、１９を突当たり可能な状態に突設することができる。
これにより、図５の（ロ）に示すように、簡単に爪先５、６の過度の閉め過ぎが防げるようになる。
【００１８】
さらに、図１に示すように、前記前破砕爪３、４の爪先５、６を、縦断面が鋭利で幅が先端側で小さくなるエッジ板５ａ、６ａとすると、エッジ板５ａ、６ａが木材に刺さりやすくなる。
【００１９】
【発明の効果】
本発明は以上のようなので、両方の破砕爪が同時に開閉するので、破砕爪３、４のオペレーターによる操作の自由性が増し、容易に地面から浮いている丸太Ｍを掴み割ることができるようになった。
また、両方の破砕爪の同時開閉により破砕力を中央に大きく集中でき、枝が多く太くて硬いケヤキ、樫、栗などの生の丸太材や不定形をした大きな根っこでも容易に破砕できるようになった。
【００２０】
また、一方を固定するものではないので固定部分の補強は不要となり、幅広肉厚の鉄板の使用をしない分軽量化が可能になった。
【図面の簡単な説明】
【図１】本発明の斜め後方から見た斜視図。
【図２】本発明の斜め前方から見た斜視図。
【図３】破砕爪を開いて丸太を咥えた状態を示す側面図。
【図４】破砕爪を閉じて丸太を割った状態を示す側面図。
【図５】ストッパーを設けた形態を示す（イ）が破砕爪を開いた状態の、（ロ）が破砕爪を閉じて止まった状態の各側面図。
【符号の説明】
１    作動アーム
１ａ  作動アームの先端部
２    基枢支部
３    円弧状破砕爪
３ａ  円弧状破砕爪の基部
４    円弧状破砕爪
４ａ  円弧状破砕爪の基部
５    爪先
５ａ  エッジ板
６    爪先
６ａ  エッジ板
７    前リンク枢支部
８    後リンク枢支部
９    後枢支部
１０    関節
１１ａ  リンクシャフトの一方
１１ｂ  リンクシャフトの他方
１２    前枢支部
１３    関節
１４ａ  リンクシャフトの一方
１４ｂ  リンクシャフトの他方
１５    連動枢支部
１６    連動シャフト
１６ａ  連動シャフトの基端部
１６ｂ  連動シャフトの先端部
１７    油圧シャフト
１７ａ  油圧シャフトの先端
１８    ストッパー
１９    ストッパー
Ｍ    丸太
【図１】
0003876434.tif 000002
【図２】
0003876434.tif 000003
【図３】
0003876434.tif 000004
【図４】
0003876434.tif 000005
【図５】
0003876434.tif 000006